(57)【要約】 
【課題】  根太材を根太受金具に確実に固定し、且つ前記根太材の乾燥等に伴う伸縮に対しても床面に変化を生じにくい根太受金具を提供することにある。
【解決手段】  コンクリート基礎Ｃに立設固定された鋼製の支持部材１０の上端部に取り付けられ、角状の根太材Ｎを下側から受けて支持する根太受金具１４であって、コ字状に屈曲形成した根太受金具１４の底面中央部に前記支持部材１０の上端部を螺合させるネジ切孔を形成するとともに、側面に根太材Ｎを釘打ちにて固定するための釘孔１４ａを形成し、且つ根太材Ｎを受ける底面上部に底面のネジ切孔を挟んで両側にコ字状の切り込み部分を形成し、該コ字状の切り込み部分の端部を上方に折り曲げることによって板バネを形成した。
【選択図】      図３
0003101257.tif 000002
【実用新案登録請求の範囲】
【請求項１】
基礎土台に立設固定された鋼製の支持部材の上端部に取り付けられ角状の根太材を下側から受けて支持する根太受金具であって、コ字状に屈曲形成され、底面中央部に前記支持部材の上端部が螺合するネジ切孔を有するとともに、側面に根太材を釘打ちにて固定するための釘孔を有し、かつ根太材を受ける底面上部に弾性機構を備えたことを特徴とする根太受金具。
【請求項２】
前記弾性機構は、受金具の底面のネジ切孔を挟んで両側に配置された板バネであることを特徴とする請求項１記載の根太受金具。
【請求項３】
前記弾性機構は、受金具の底面にネジ切孔を挟んで両側にコ字状の切り込み部分を設けて、該部分の端部を上方に折り曲げることにより形成したことを特徴とする請求項１又は２記載の根太受金具。
【考案の詳細な説明】
【技術分野】
【０００１】
本考案は、基礎土台に立設固定された鋼製の支持部材の上端部に取り付けられ、角状の根太材を下側から受けて支持する根太受金具に関するものである。
【背景技術】
【０００２】
一般に、建築物の床を形成するには、先ず束石上に束材を垂直に載置し、この束材の上端部に大引を設け、この大引きに直交するように根太材を配置する。そして、この根太材に床板を敷設して床としている。
通常、根太材は長尺なので支持をする点を両端部に限ると、中央部が撓むおそれがあり、その上に敷設した床板も重量が掛かるので同様に撓んでしまう。そこで、根太材の下面と床下のコンクリート基礎との間に支持部材を介在させて、根太材の撓み等を防止している。
【０００３】
前記支持部材１０は一般に、図４に示すような、アンカーボルト１２、根太受金具１４で構成されており、アンカーボルト１２はコンクリート基礎Ｃの所定位置に打ち込み接着剤等で固定するか、あるいはコンクリート基礎Ｃの面上に配置した支持金具で支持固定するようにしている。そして、このアンカーボルト１２の上部に根太受金具１４が取り付けられている。
根太受金具１４は、ステンレス等の金属板をコ字状に屈曲形成して、その底面１４Ｂにアンカーボルト１２が螺合するネジ切孔１４Ｂａが設けられたものである。この根太受金具１４をアンカーボルト１２の上端部から２０ｍｍほどねじ込んでその上に根太材Ｎを載置するようにし、根太受金具１４の側面１４Ａに設けられた釘孔１４Ａａから釘を打ち込んで根太材Ｎを固定する。
この場合、根太材Ｎの下面が平坦であると、アンカーボルト１２の先端部がぶつかるので、予め根太材Ｎの下面には、アンカーボルト１２の先端部を避けるための丸孔を設けておくか、或いは長手方向にわたる溝Ｎａを設けておくことになる。
【０００４】
なお、支持部材１０には、これ以外にも、根太受金具１４がアンカーボルト１２の先端部に溶接固定されたものも存在し、その場合には根太材Ｎの下面には丸孔や溝を設けておく必要はない。いずれにしても、根太材Ｎと根太受金具１４との位置ずれが生じないように根太受け金具１４の側面１４Ａに設けられた釘孔１４Ａａから釘を打ち込むことになる。
【０００５】
ところで、上記のような構造にしてある場合に、気候の変化や経時による根太材の乾燥等によって収縮が生じると、根太材Ｎの下面と根太受金具１４の底面１４Ｂとの間に隙間が生じるので、床材や根太材Ｎの重量で根太材Ｎの側部に打ち込まれている釘が曲がり、全体として下方に撓むことになる。このため、床鳴りが生じたり、床面に傾斜が発生したりすることがある。
【０００６】
そこで、種々の提案がなされている。例えば特許文献１には、根太受金具（文献上では受部３ａとしている。）の根太材を受ける面に接着剤を塗布して接着固定する方法が開示されている。
【０００７】
この方法によると、接着剤の注入作業により、根太受金具と根太材との間の固着ができ、根太材の乾燥等による収縮等に基づく狂いが発生しないとされている。
【０００８】
【特許文献１】特開平０８−１３５０７０（明細書全文）
【考案の開示】
【考案が解決しようとする課題】
【０００９】
上述した根太受金具の上面に接着剤を塗布する方法は、使用する根太材の数が多数のため作業が繁雑になり、また接着剤のコストが掛かる。また、根太材が接着剤により固定されているため、根太材が乾燥により収縮すると床面がその分だけ下がる可能性がある。
【００１０】
本考案は、上述のような実情に鑑みなされたもので、その目的は、根太材を根太受け金具に確実に固定し、且つ前記根太材の乾燥等に伴う伸縮に対しても床面に変化を生じにくい根太受金具を提供することにある。
【課題を解決するための手段】
【００１１】
本考案は、上記目的を達成するために、次の技術的手段を講じている。
即ち、請求項１に係る発明は、基礎土台に立設固定された鋼製の支持部材の上端部に取り付けられ角状の根太材を下側から受けて支持する受金具であって、コ字状に屈曲形成され、底面中央部に前記支持部材の上端部が螺合するネジ切孔を有するとともに、側面に根太材を釘打ちにて固定するための釘孔を有し、かつ根太材を受ける底面上部に弾性機構を備えたことを特徴としている。
【００１２】
請求項２記載の考案は、請求項１記載の根太受金具において、前記弾性機構は、受金具の底面のネジ切孔を挟んで両側に配置された板バネであることを特徴としている。
【００１３】
また、請求項３記載の考案は、請求項１又は記載の根太受金具において、前記弾性機構は、受金具の底面にネジ切孔を挟んで両側にコ字状の切り込み部分を設けて、該部分の端部を上方に折り曲げることにより形成したものであることを特徴としている。
【考案の効果】
【００１４】
本考案によると、根太受金具の根太材を受ける面に弾性機構を備えたので、気候変化により根太材に伸縮等があってもスプリング効果により根太材が確実に支持固定される。
【考案を実施するための最良の形態】
【００１５】
以下、本考案に係る根太受金具の実施形態を図面を参照して説明する。なお、背景技術の項で説明した部材と同一又は相当する部材には同一の符号を付す。
図１は、本考案に係る根太受金具を示す図であり、図１（ａ）は正面図、（ｂ）は平面図、（ｃ）は側面図、（ｄ）は斜視図である。
図１において根太受金具１４はコ字状に屈曲形成されており、底面１４Ｂの中央部にネジ切孔１４Ｂａが設けられている。また、側面１４Ａには根太材Ｎを釘打ちして固定するための釘孔１４Ａａが形成されており、前記ネジ切孔１４Ｂａを挟んで両側にコ字状に切り込まれ、端部を上方に折り曲げられた板バネ１４Ｂｂが形成されている。
【００１６】
図２は、本考案に係る根太受金具１４をアンカーボルト１２に取り付けた状態を斜視図で示したものであり、施工方法は、まず、コンクリート基礎Ｃの所定の位置に所定のサイズのアンカーボルト１２を立設固定し（図４参照）、ナット１６をアンカーボルト１２の上部から所定の位置（２０ｍｍほど）までねじ込む。さらに、根太受金具１４をアンカーボルト１２の上部から所定の位置までねじ込み、先にアンカーボルト１２にねじ込んだナット１６と相締めして固定させる。
【００１７】
次に、本実施形態に係る根太受金具１４と根太材Ｎとの取り付け方を、図３を参照して説明する。図３は、根太材Ｎを根太受金具１４に取り付けた状態を示し、図３（ａ）は斜視図、（ｂ）は正面図である。
先ず、アンカーボルト１２の先端が根太材Ｎにぶつかるのを回避させるため、予め根太材Ｎの下面には長手方向に溝Ｎａを設けておく。次に、根太材Ｎを根太受金具１４の上にはめ込む。ここで、予め設けた根太材Ｎの下面の長手方向の溝Ｎａを利用し根太材Ｎを長手方向にスライドさせることができるため、根太材Ｎの位置調整を容易に行うことができる。
【００１８】
上述のように、根太材Ｎの位置調整が可能であることから、根太材Ｎ上面に予め所定の位置に所定の深さで木ネジを取り付けておき、木ネジの通りを床板の目地の通りとなる位置に調整することが可能である。また、木ネジの位置が所定の位置に無いと、床板を張り上げた状態で床板が曲がってしまうが、この様な状態を防止することができる。
【００１９】
次に、根太材Ｎを根太固定金具１４に位置決め固定する方法について説明すると、まず予め位置決め設置されている根太固定金具１４の所に根太材Ｎをセットし、セットした根太材Ｎと根太受金具１４を挟む様に、図５に示すジグ２０を根太材Ｎと直角方向より入れ込む。ジグ２０はコ字状に屈曲形成されたもので、底面２０Ｂには、前記アンカーボルト１０に螺合させたナット１６が通過できる幅のスリット２０Ｂａが設けられており、底面２０Ｂが根太受金具１４の底面１４Ｂに当接する。ジグ２０と根太材Ｎの隙間にバール等を入れ、梃子の応用によって根太材Ｎを板バネ１４Ｂｂの方向に押し下げることで、板バネ１４Ｂｂにスプリング機能を働かせる。そして、その状態を維持したまま、根太受金具１４の側面に設けた釘孔１４Ａａから木ネジを取り付けて、根太材Ｎと根太受金具１４を固定する。
【００２０】
上述の板バネ１４Ｂｂによるスプリング機能が働くことによって、気候の変化により根太材Ｎに伸縮や反りが生じた場合であっても、確実に根太材Ｎが支持固定され、撓みによる床鳴りが生じたり、床面に傾斜が発生するおそれがなくなる。
【００２１】
また、前述した根太材Ｎの下面の長手方向の溝を設けておくことにより根太材Ｎの位置調整が容易であるため、予め根太材Ｎにアンカーボルトの位置に合わせた孔を開けておく必要が無く、作業効率の大幅な向上が図れる。
【産業上の利用可能性】
【００２２】
本考案に係る根太受金具は、根太材が気候変化に伴って伸縮や反りを生じた場合であっても、確実に根太材を支持固定できるため、気候変化の激しい地域等においての床建築に有効的に利用することができる。
【図面の簡単な説明】
【００２３】
【図１】本考案に係る根太受金具を示す図で、（ａ）は正面図、（ｂ）は平面図、（ｃ）は側面図、（ｄ）は斜視図である。
【図２】本考案に係る根太受金具をアンカーボルトに取り付けた状態を示す斜視図である。
【図３】本考案に係る根太受金具と根太材との結合状態を示す図で、（ａ）は斜視図、（ｂ）は正面図である。
【図４】従来の根太受金具の実施状態を示した図である。
【図５】本考案の実施に用いるジグを示した図である。
【符号の説明】
【００２４】
１０    支持部材
１２    アンカーボルト
１４    根太受金具
１４Ａ  側面
１４Ａａ    釘孔
１４Ｂ      底面
１４Ｂａ    ネジ切孔
１４Ｂｂ    板バネ
２０      ジグ
【図１】
0003101257.tif 000003
【図２】
0003101257.tif 000004
【図３】
0003101257.tif 000005
【図４】
0003101257.tif 000006
【図５】
0003101257.tif 000007